(57)【要約】【課題】一枚のアルバム用紙の両面に、写真を保持することができるようにしたアルバム用紙を提供することを課題とする。【解決手段】  四辺形の写真１の両上隅１ａ′，１ａ′と両下隅１ａ，１ａを差し込む切込部２と、写真１の上隅１ａ′と下隅１ａとの間１ｂを差し込む切込部３と、写真１の両上隅１ａ′，１ａ′との間１ｂ′を差し込む切込部３′と、写真１の両下隅１ａ，１ａとの間１ｂを差し込む切込部３とを、用紙に切り込んで設けたアルバム用紙Ａとしたものである。  また、四辺形の写真１の両上隅１ａ′，１ａ′との間１ｂ′を差し込む切込部３′の切り込みを、他の切込部３の切り込みより深く切り込んだアルバム用紙Ａとしたものである。【選択図】      図２
2006150600.tif 000002
【特許請求の範囲】
【請求項１】
四辺形の写真（１）の両上隅（１ａ′，１ａ′）と両下隅（１ａ，１ａ）を差し込む切込部（２）と、写真（１）の上隅（１ａ′）と下隅（１ａ）との間（１ｂ）を差し込む切込部（３）と、写真（１）の両上隅（１ａ′，１ａ′）との間（１ｂ′）を差し込む切込部（３′）と、写真（１）の両下隅（１ａ，１ａ）との間（１ｂ）を差し込む切込部（３）とを、用紙に切り込んで設けたことを特徴とするアルバム用紙（Ａ）。
【請求項２】
写真（１）の両上隅（１ａ′，１ａ′）との間（１ｂ′）を差し込む切込部（３′）の切り込みを、他の切込部３の切り込みより深く切り込んだことを特徴とする請求項１に記載のアルバム用紙（Ａ）。
【発明の詳細な説明】
【技術分野】
【０００１】
本発明は、アルバム用紙に、四辺形の写真の四隅を差し込む切込部を設けて、この切込部に写真の四隅を差し込んで、写真を保持するとともに、その写真を保持したアルバム用紙の裏側にも、写真の四隅の間を差し込む切込部を設けて、この切込部に、写真の四隅の間を差し込んで保持することができる、アルバム用紙に関するものである。
【背景技術】
【０００２】
従来、図６に示すように、写真の四隅を差し込む切込部１０を設けたアルバム用紙Ａは存在していた。このアルバム用紙Ａに切り込んだ切込部１０に、図７に示すように、写真１１の四隅１１ａを差し込んで、写真１１を保持することができる。図８は前記のように写真１１を保持したアルバム用紙Ａの裏面を示すものである。
【０００３】
また、従来、図９に示すように、アルバム用紙Ａに透明フィルム１２を、写真１１が差し込まれる袋１２ａが形成されるように、接着部１２ｂにおいてコ字状に接着したものがあった。なお、図６〜図９において、符号１３はこのアルバム用紙Ａを、アルバム帳のバインダに綴じるための小孔である。
【発明の開示】
【発明が解決しようとする課題】
【０００４】
前記図６〜図８に示すようなアルバム用紙Ａにおいては、図７に示すように、アルバム用紙Ａの一面に写真１１を保持させたアルバム用紙Ａの他面（図８参照）に、写真を保持させることはできなかった。
【０００５】
また、前記図９に示すようなアルバム用紙Ａにおいては、透明フィルム１２の袋１２ａに写真１１を差し込んで保持するので、写真１１の近傍に、その写真の説明をアルバム用紙に書くことができなかった。また、透明フィルム１２が存在するので、その分、厚みが増すといった課題があった。
【０００６】
そこで、本発明は、前記のような問題を解決し、アルバム用紙の一面にはもちろんのこと、その他面にも写真を保持させることができ、また、アルバム用紙に保持した写真の近傍に、その写真の説明を書くことができる、アルバム用紙を提供することを課題とするものである。
【課題を解決するための手段】
【０００７】
前記課題を解決するため、請求項１に係る発明は、四辺形の写真１の両上隅１ａ′，１ａ′と両下隅１ａ，１ａを差し込む切込部２と、写真１の上隅１ａ′と下隅１ａとの間１ｂを差し込む切込部３と、写真１の両上隅１ａ′，１ａ′との間１ｂ′を差し込む切込部３′と、写真１の両下隅１ａ，１ａとの間１ｂを差し込む切込部３とを、用紙に切り込んで設けたことを特徴とするアルバム用紙Ａとしたものである。
また、請求項２に係る発明は、四辺形の写真１の両上隅１ａ′，１ａ′との間１ｂ′を差し込む切込部３′の切り込みを、他の切込部３の切り込みより深く切り込んだことを特徴とするアルバム用紙Ａとしたものである。
【発明の効果】
【０００８】
請求項１および請求項２に係る発明のようなアルバム用紙を提供することにより、一枚のアルバム用紙の一面に、四辺形の写真の両上隅と両下隅を差し込んで保持し、アルバム用紙の他面に、四辺形の写真の両上隅の間、上隅と下隅の間、および両下隅の間を差し込んで保持することができ、かつ、保持した写真の近傍のアルバム用紙に、その写真の説明を書くことができる。
また、請求項２に係る発明のようなアルバム用紙を提供することにより、前記四辺形の写真の上隅と下隅の間、および両上隅の間を切込部に、写真を上方にずらして差し込み、さらに、写真を下方にずらして、写真の両下隅の間を切込部に容易に差し込んで保持することができる。
【発明を実施するための最良の形態】
【０００９】
以下に本発明の実施の形態について、図面を参照して説明する。図１は本発明のアルバム用紙の平面図、図２はこのアルバム用紙の一面に写真を保持した平面図、図３は一面に写真を保持したアルバム用紙の他面（裏面）の平面図である。図４はアルバム用紙の一面に写真を保持する場合の説明図、図５は一面に写真を保持したアルバム用紙の他面に、写真を保持する場合の説明図である。
【００１０】
本発明のアルバム用紙は、図１および図２に示すように四辺形の写真１の両上隅１ａ′，１ａ′と両下隅１ａ，１ａを差し込む切込部２と、写真１の上隅１ａ′と下隅１ａとの間１ｂを差し込む切込部３と、写真１の両上隅１ａ′，１ａ′との間１ｂ′を差し込む切込部３′と、写真１の両下隅１ａ，１ａとの間１ｂを差し込む切込部３とが、それぞれ切り込んで形成されたものである。このアルバム用紙の厚みは、適宜に設定することができるが、写真の厚みより厚い方がよい。なお、図１〜図５において、符号４はこのアルバム用紙Ａを、アルバム帳のバインダに綴じるための小孔である。
【００１１】
前記写真１の両上隅１ａ′，１ａ′の間１ｂ′を差し込む切込部３′の切り込みは、他の切込部３の切り込みより深く切り込んでいる。
【００１２】
アルバム用紙Ａの一面に四辺形の写真１を保持するには、図４に示すように、まず、（ａ）図に示すように、写真１の図において左側の上隅１ａ′と下隅１ａを、それに対応する切込部２，２に矢印で示すように差し込み、つぎに、（ｂ）図に示すように、写真１の図において右側の上隅１ａ′と下隅１ａを、それに対応する切込部２，２に矢印で示すように差し込むことによって、アルバム用紙Ａの一面に写真１を保持することができる。
【００１３】
また、一面に写真を保持したアルバム用紙の他面（裏面）に、四辺形の写真１を保持するには、図５に示すように、まず、（ａ）図に示すように、写真１の図において、左右の上隅１ａ′と下隅１ａとの間１ｂ，１ｂを、左右の切込部３，３に差し込み、図において、矢印で示すように、写真１を上方へ摺動させて、写真１の図において、両上隅１ａ′，１ａ′の間１ｂ′を、切り込みが深い切込部３′の奥深く差し込む。そうすると、写真１の両下隅１ａ，１ａの間１ｂが、その間１ｂを差し込む切込部３を通り越す。つぎに、（ｂ）図で矢印で示すように、写真１を下方へ摺動させて、写真１の両下隅１ａ，１ａの間１ｂを前記切込部３に差し込んで保持することができる。このように前記写真１の両上隅１ａ′，１ａ′の間１ｂ′を差し込む切込部３′の切り込みは、他の切込部３の切り込みより深く切り込むことによって、写真の隅と隅の間を前記切込部３，３，３，３′に簡単に差し込むことができる。
【図面の簡単な説明】
【００１４】
【図１】本発明のアルバム用紙の平面図である。
【図２】本発明のアルバム用紙の一面に写真を保持した平面図である。
【図３】本発明のアルバム用紙の一面に写真を保持したアルバム用紙の他面（裏面）の平面図である。
【図４】本発明のアルバム用紙の一面に写真を保持する場合の説明図である。
【図５】本発明のアルバム用紙の一面に写真を保持したアルバム用紙の他面に、写真を保持する場合の説明図である。
【図６】従来のアルバム用紙の平面図である。
【図７】従来のアルバム用紙に写真を保持させた一面の平面図である。
【図８】従来のアルバム用紙に写真を保持させた他面の平面図である。
【図９】他の従来のアルバム用紙の平面図である。
【符号の説明】
【００１５】
１      写真
１ａ    両下隅
１ａ′  両上隅
１ｂ    写真の隅と隅の間
１ｂ′  写真の両上隅の間
２      切込部
３      切込部
３′    切り込みが深い切込部
４      小孔
Ａ      アルバム用紙
【図１】
2006150600.tif 000003
【図２】
2006150600.tif 000004
【図３】
2006150600.tif 000005
【図４】
2006150600.tif 000006
【図５】
2006150600.tif 000007
【図６】
2006150600.tif 000008
【図７】
2006150600.tif 000009
【図８】
2006150600.tif 000010
【図９】
2006150600.tif 000011